(57)【特許請求の範囲】
【請求項１】
戸板に取り付けられたローラーユニットおよびスライドアシスト装置が移動する移動空間を有するレールの前記移動空間に嵌め込まれる可動具と、
前記スライドアシスト装置と係合するトリガー部を有しているとともに前記可動具と共動するトリガー部材とを備えており、
前記可動具は、
前記移動空間に嵌め込まれる本体部材と、
前記本体部材に対して出没自在に設けられており、前記レールに設けられた係止部に係合する先端部を有する突出部材と、
前記突出部材の前記先端部を前記本体部材から突出する方向に付勢する付勢手段とを有している
可動トリガー装置。
【請求項２】
前記突出部材の前記先端部と前記係止部とが互いに接する面の少なくとも一方が傾斜面となっており、前記可動具に所定以上の強さの外力が加わったとき、前記突出部材の前記先端部と前記係止部との係合状態が解除されることを特徴とする請求項１に記載の可動トリガー装置。
【請求項３】
前記突出部材は、前記先端部とは反対側の後端部が前記本体部材から突出しており、
前記後端部を操作することで前記付勢手段の付勢力に抗して前記先端部が前記本体部材側に戻されることを特徴とする請求項１または２に記載の可動トリガー装置。
【請求項４】
前記レールの内側に取り付けられ、前記トリガー部材の先端に当接するブロック部材をさらに備えている請求項１から３のいずれか１項に記載の可動トリガー装置。
【請求項５】
前記可動具は、前記戸板の端面に当接する戸板当接部材をさらに有していることを特徴とする請求項１から４のいずれか１項に記載の可動トリガー装置。
【請求項６】
戸枠に取り付けられるレールと、
戸板と、
前記戸板に取り付けられたローラーユニットおよびスライドアシスト装置と、
請求項１から５のいずれか１項に記載の可動トリガー装置とを備える引戸。
【発明の詳細な説明】
【技術分野】
【０００１】
本発明は、戸枠内で左右にスライドして構造物の開口部を開閉する引戸に使用され、引戸の戸板に取り付けられたアシスト装置と係合する可動トリガー装置に関する。
【背景技術】
【０００２】
従来、特許文献１に記載されているようなスライドアシスト装置が知られている。このスライドアシスト装置は、レールに設けられたトリガー部材と係合することによって稼働するようになっている。スライドアシスト装置が稼働することにより、引戸の戸板を減速させるとともに、戸板の閉方向のスライドをアシストできるようになっている。
【先行技術文献】
【特許文献】
【０００３】
【特許文献１】特開２０１３−１５１８５５号公報
【発明の概要】
【発明が解決しようとする課題】
【０００４】
ところで、構造物の施工が完了した後でもトリガー部材の位置を一時的に変更したい場合がある。例えば、通常、引戸を全開にしたとき、戸板の持ち手に掛けた指が戸枠や壁と持ち手との間に挟まれて怪我をしないように「引き残し」ができる位置でトリガー部材の固定位置が調節されている。これに対し、引っ越しや部屋の模様替えなどで大きな荷物を戸枠内（開口部）に通したい場合においては、この「引き残し」部分が邪魔になっていた。
【０００５】
しかしながら、トリガー部材は施工時にレールに対してネジ等で位置決め固定されるのが普通であり、家屋等の構造物の施工が完了した後でトリガー部材の固定位置を変更するのが困難であった。
【０００６】
本発明は、このような従来技術の問題点に鑑みて開発されたものである。それゆえに本発明の主たる課題は、簡単な操作でトリガー部材を移動させることができる可動トリガー装置およびこれを含む引戸を提供することにある。
【課題を解決するための手段】
【０００７】
本発明の第１局面によれば、
戸板に取り付けられたローラーユニットおよびスライドアシスト装置が移動する移動空間を有するレールの前記移動空間に嵌め込まれる可動具と、
前記スライドアシスト装置と係合するトリガー部を有しているとともに前記可動具と共動するトリガー部材とを備えており、
前記可動具は、
前記移動空間に嵌め込まれる本体部材と、
前記本体部材に対して出没自在に設けられており、前記レールに設けられた係止部に係合する先端部を有する突出部材と、
前記突出部材の前記先端部を前記本体部材から突出する方向に付勢する付勢手段とを有している可動トリガー装置を提供できる。
【０００８】
本発明の第１局面に係る可動トリガー装置１０によれば、突出部材２２の先端部４２がレール１５０の係止部１５８と係合することにより可動具１２を位置決めすることができる。これにより、可動具１２と共動するトリガー部材１４も位置決めすることが可能となる。この位置を通常の状態として、例えば「引き残しＨ」ができるような位置でトリガー部材１４を位置決めする（図１０（ａ）を参照）。そして、引っ越しや部屋の模様替えなどで大きな荷物を通したい場合には、付勢手段２４の付勢力に抗して先端部４２が本体部材２０に没する方向に突出部材２２を移動させてレール１５０の係止部１５８との係合状態を解除する。然る後、レール１５０の移動空間１５２で本体部材２０を奥側に移動させることにより、一時的に間口を広げることが可能となる（図１０（ｂ）を参照）。
【０００９】
好ましくは、前記突出部材の前記先端部と前記係止部とが互いに接する面の少なくとも一方を傾斜面とし、前記可動具に所定以上の強さの外力が加わったとき、前記突出部材の前記先端部と前記係止部との係合状態が解除できるようにする。
【００１０】
これにより、例えば「引き残しＨ」ができるような通常の位置から、一時的に戸板Ａをより奥まで収めて間口を広げる場合、当該戸板Ａを奥に強く押し込んで可動具１２に所定以上の強さの外力を加えることにより、突出部材２２の先端部４２が係止部１５８から脱する。したがって、複雑な操作をすることなく、必要に応じて引戸Ｚの移動量を変えることができる。
【００１１】
好ましくは、前記突出部材は、前記先端部とは反対側の後端部が前記本体部材から突出しており、前記後端部を操作することで前記付勢手段の付勢力に抗して前記先端部を前記本体部材側に戻すことができる。
【００１２】
これにより、例えば「引き残しＨ」ができるような通常の位置から、一時的に戸板Ａをより奥まで収めて間口を広げる場合、突出部材２２の後端部４３を操作することにより、当該突出部材２２の先端部４２がレール１５０の係止部１５８から脱する。したがって、複雑な操作をすることなく、必要に応じて引戸の移動量を変えることができる。
【００１３】
好ましくは、前記可動トリガー装置は、前記レールの内側に取り付けられ、前記トリガー部材の先端に当接するブロック部材をさらに備えている。
【００１４】
好ましくは、前記可動具は、前記戸板の端面に当接する戸板当接部材をさらに有している。
【００１５】
本発明の他の局面によれば、
戸枠に取り付けられるレールと、
戸板と、
前記戸板に取り付けられたローラーユニットおよびスライドアシスト装置と、
上記可動トリガー装置とを備える引戸が提供される。
【発明の効果】
【００１６】
本発明によれば、簡単な操作でトリガー部材を移動させることができる可動トリガー装置およびこれを含む引戸を提供することができた。
【図面の簡単な説明】
【００１７】
【図１】本発明が適用された第１実施例に係る可動トリガー装置１０を含む引戸Ｚを示す分解斜視図である。
【図２】本発明が適用された第１実施例に係る可動トリガー装置１０を含む引戸Ｚの一部を示す一部透視図である。
【図３】本発明が適用された第１実施例に係る可動具１２の斜視図である。
【図４】本発明が適用された第１実施例に係る可動具１２のＩＶ−ＩＶ矢視断面図である。
【図５】トリガー部材１４を示す（ａ）正面図および（ｂ）平面図である。
【図６】レール１５０の開口端部を示す部分拡大斜視図である。
【図７】ブロック部材３００を示す斜視図である。
【図８】本発明が適用された第１実施例に係る可動具１２をレール１５０の移動空間１５２に挿入した自然状態を示す断面図である。
【図９】本発明が適用された第１実施例に係る可動具１２をレール１５０の移動空間１５２に挿入し、突出部材２２と係止部１５８との係合が解除された状態を示す断面図である。
【図１０】本発明が適用された第１実施例に係る可動トリガー装置１０を用いた引戸Ｚについての（ａ）通常の状態、および（ｂ）一時的に間口を広げた状態を示す概念図である。
【図１１】本発明が適用された変形例１に係る可動具１２をレール１５０の移動空間１５２に挿入した自然状態を示す断面図である。
【図１２】本発明が適用された変形例１に係る可動具１２をレール１５０の移動空間１５２に挿入し、突出部材２２と係止部１５８との係合が解除された状態を示す断面図である。
【図１３】本発明が適用された変形例２に係る可動具１２をレール１５０の移動空間１５２に挿入した自然状態を示す断面図である。
【図１４】本発明が適用された変形例２に係る可動具１２をレール１５０の移動空間１５２に挿入し、突出部材２２と係止部１５８との係合が解除された状態を示す断面図である。
【図１５】本発明が適用された変形例３に係る可動具１２の斜視図である。
【図１６】本発明が適用された変形例３に係る可動具１２のＸＶＩ−ＸＶＩ矢視断面図である。
【図１７】本発明が適用された変形例３に係る可動トリガー装置１０を含む引戸Ｚを示す分解斜視図である。
【図１８】本発明が適用された変形例３に係る可動トリガー装置１０を含む引戸Ｚの一部を示す一部透視図である。
【発明を実施するための形態】
【００１８】
以下、本発明が適用された可動トリガー装置１０およびこれを含む引戸Ｚについて図面を用いて説明する。本実施形態（第１実施例）に係る可動トリガー装置１０は、図１および２に示すように、スライドアシスト装置Ｘとともに使用されるものであるが、もちろん、可動トリガー装置１０は以下で説明するタイプのスライドアシスト装置Ｘとともに使用することだけに限定されるものではない。
【００１９】
（スライドアシスト装置についての説明）
最初に、本発明が適用された可動トリガー装置１０と組み合わせて使用される公知のスライドアシスト装置Ｘについて簡単に説明する。なお、本実施形態のスライドアシスト装置Ｘは、ローラーユニットＹを伴う吊下式の引戸Ｚに適用したものであるが、スライドアシスト装置Ｘはローラーユニットなしの吊下式引戸や、非吊下式引戸等、その他の引戸にも適用することができる。また、本実施形態のスライドアシスト装置Ｘは、戸板Ａに対し閉止方向についてスライドアシスト力を付与するものであってもよい。もちろん、開閉各方向についてスライドアシスト力を付与するスライドアシスト装置Ｘを戸板Ａに設けるものであってもよい。また、スライドアシスト装置Ｘは、後述するトリガー部材１４と協働して、付勢力を蓄積または解放可能に構成されている。
【００２０】
戸板Ａの天面には、上述したスライドアシスト装置Ｘの他、一対のローラーユニットＹが設けられている。ローラーユニットＹは、戸板Ａに固定された引戸固定体１００と、この引戸固定体１００に固定された本体部１０２と、この本体部１０２に対して回転可能に取り付けられたローラー１０４とで構成されている。
【００２１】
スライドアシスト装置Ｘは、下面が開口する断面「コ」字状の上枠体２００と、上面が開口する断面「コ」字状の下枠体２０２と、下枠体２０２に一端が固定された引きバネ２０４と、この引きバネ２０４と前後に並設されるとともに下枠体２０２に一端が固定されたダンパー部材２０６と、引きバネ２０４およびダンパー部材２０６の他端であるフリー端部に取り付けられ、上枠体２００内をその長手方向に沿ってスライド可能なスライド部材２０８とを備えている。また、下枠体２０２の一方端部には、ガイドローラ２１０が設けられている。スライドアシスト装置Ｘは、ガイドローラ２１０が設けられ側とは反対側の端でローラーユニットＹの本体部１０２に連結されている。なお、図１では、引きバネ２０４がダンパー部材２０６の前後に一対配設されているが、ダンパー部材２０６の前後いずれか一方に一本の引きバネ２０４を備える等、他の態様としてもよい。
【００２２】
（第１実施例に係る可動トリガー装置１０についての説明）
このようなスライドアシスト装置Ｘとともに使用する可動トリガー装置１０は、大略、可動具１２と、トリガー部材１４とを備えている。
【００２３】
可動具１２は、図３および図４に示すように、大略、本体部材２０と、突出部材２２と、付勢手段２４（図４）とを有している。
【００２４】
本体部材２０は、レール１５０の移動空間１５２に嵌め込まれる、樹脂で形成された（金属製や木製であってもよい）略ブロック状の部材である。この本体部材２０は、略直方体状の本体部２６、内部空間２８、当該内部空間２８と本体部２６の図中上方とを連通させる第１連通孔３０、および、内部空間２８と本体部２６の図中下方とを連通させる第２連通孔３２を有している。なお、本実施形態では、本体部材２０の一部を構成するバネ受け部材５３に第２連通孔３２が形成されている。
【００２５】
さらに、本体部２６の天面２６ａには、本体部材２０を後述するレール１５０の移動空間１５２に嵌め込んだときに当該レール１５０のスリット１５６から挿設溝１５４に至る上側突設部３４を有している。なお、本実施例では、上側突設部３４は本体部材２０をレール１５０の移動空間１５２に嵌挿する方向に沿って形成されている。また、上述した第１連通孔３０は上側突設部３４に形成されている。
【００２６】
また、上側突設部３４は、その長手方向略中央位置に段部３６を有しており、この段部３６を境にして高位部３８および低位部４０が形成されている。高位部３８と低位部４０との高さの差（つまり、段部３６の高さ）は、トリガー部材１４におけるトリガー本体部９０の厚さとほぼ同じに設定されている。高位部３８の略中央部には、上述の通り、第１連通孔３０が形成されており、低位部４０の略中央部には、トリガー部材１４を本体部材２０に固定するためのネジ挿通孔５２が形成されている。
【００２７】
突出部材２２は、本体部材２０に対して出没自在に設けられた略棒状の部材である。この突出部材２２の先端部４２は本体部材２０の第１連通孔３０から外側に突出しており、また、突出部材２２における先端部４２とは反対側の後端部４３は本体部材２０の第２連通孔３２から外側に突出している。
【００２８】
本実施形態における突出部材２２は第１部材４４と第２部材４６とで構成されている。なお、突出部材２２を１つまたは３つ以上の部材で構成してもよい。第１部材４４は略円柱状の棒材であり、本体部材２０の第１連通孔３０に挿通されて端部が本体部材２０の外側に突出している。つまり、第１部材４４の突出した端部が突出部材２２の先端部４２になる。
【００２９】
第２部材４６は、第１部材４４に比べて大径の略円柱状棒材であり、本体部材２０の第２連通孔３２に挿通されて端部が本体部材２０の外側に突出している。つまり、第２部材４６の突出した端部が突出部材２２の後端部４３になる。また、第２部材４６における第１部材４４に向かう一方端面には挿設穴４７が形成されており、当該挿設穴４７に第１部材４４の図中下端部が挿設されている。第１部材４４と第２部材４６とは接着剤等により互いに固着されている。さらに、第２部材４６における一方端部（本体部材２０の内部空間２８内に配置された端部）には鍔部４８が形成されている。
【００３０】
付勢手段２４は、突出部材２２の先端部４２を本体部材２０から突出する方向に付勢するものである。本実施形態では、付勢手段２４としてコイルバネが使用されており、当該コイルバネの一方端が第２部材４６の鍔部４８に当接し、他方端が第２連通孔３２の内部空間２８側における端部に形成されたバネ受け溝５０に嵌め込まれている（なお、本実施形態では、バネ受け溝５０を形成するバネ受け部材５３が本体部２６とは別体に形成されている。）。これにより、コイルバネは第２部材４６を第１連通孔３０の方向に常に付勢することになり、その結果、第１部材４４（突出部材２２）の先端部４２が本体部材２０から突出する方向に付勢される。なお、付勢手段２４はコイルバネに限定されるものではなく、本体部材２０から突出する方向に突出部材２２の先端部４２を付勢できればどのようなものであってもよい。
【００３１】
トリガー部材１４は、図５に示すように、トリガー本体部９０の先端部にトリガー部９２が設けられており、さらに必要に応じて、受入溝部９３およびリカバリー爪９４が設けられる。以下では、トリガー部９２、受入溝部９３、およびリカバリー爪９４を総称して「トリガー部９２等」と記載することがある。なお、本実施形態では、１枚の短冊状板材を適宜カットして折り曲げることにより、トリガー本体部９０に対してトリガー部９２等が一体的に形成されているが、もちろん、各部材を別々に形成した後、つなぎ合わせてトリガー部材１４を形成してもよい。
【００３２】
トリガー本体部９０は、短冊状の板材であり、上述のようにその先端（一端）部にトリガー部９２等が形成されている。また、トリガー本体部９０の後端（他端）部には、トリガー部材１４を可動具１２に対して固定し、トリガー部材１４と可動具１２とを共動させるためのネジ挿通孔９６が形成されている。なお、トリガー部材１４を可動具１２と共動させるための手段は、上述のようなネジ固定に限定されるものではなく、例えばトリガー部材１４と可動具１２とを接着したり溶接したりすることも考えられる。さらには、トリガー部材１４のトリガー本体部９０と可動具１２の本体部材２０とを一体的に形成してもよい。また、トリガー本体部９０の材質は、必要な強度を担保できるものであれば、どのような材質でも用いることができる。また、トリガー本体部９０の長さも特に限定されるものではない。
【００３３】
トリガー部９２は、上述したスライドアシスト装置Ｘにおけるスライド部材２０８と係合する部分であり、トリガー本体部９０から必要な高さだけ突出するように形成されている。本実施形態のトリガー部材１４は、上述のように１枚の短冊状板材を折り曲げて形成されていることから、トリガー部材１４の裏側（トリガー部材１４をレール１５０に取り付けたときに、当該レール１５０の内面に向かう側）には凹所９８が形成されている。本実施形態において、トリガー部９２は、トリガー本体部９０の長手方向断面で略「コ」字状に形成されているが、トリガー部９２の形状はもちろんこれに限定されるものではなく、トリガー本体部９０の長手方向に向かう面が傾斜するような形状等、スライドアシスト装置Ｘを問題なく稼働させることができるものであれば、どのような形状であってもよい。
【００３４】
受入溝部９３は、後述するブロック部材３００の端部を受け入れる部分であり、必要に応じてトリガー本体部９０の先端に形成される。本実施形態では、受入溝部９３は短冊状の板材であるトリガー本体部９０の先端部を切り起こすことによって形成された互いに略平行な一対の壁部９７と、両壁部９７の間の底部９９とで、断面略「コ」字状に形成されている。
【００３５】
リカバリー爪９４は、トリガー本体部９０から突設された部材であり必要に応じて設けられる。このリカバリー爪９４は、スライドアシスト装置Ｘにおけるスライド部材２０８の動きに不具合が生じたときに当該スライド部材２０８と係合することによってスライド部材２０８の動きを元の状態に戻す役割を有している。リカバリー爪９４の形状は、使用するスライドアシスト装置Ｘの仕様に応じて図示したものとは異なるものであってもよい。リカバリー爪９４によって元の状態に戻すような機能が付与されていないスライドアシスト装置Ｘを用いる場合は、リカバリー爪９４を省略することができる。
【００３６】
（可動トリガー装置を含む引戸の説明）
図１に戻り、可動トリガー装置１０を含む引戸Ｚは、上述した可動トリガー装置１０、スライドアシスト装置Ｘ、ローラーユニットＹ、および戸板Ａのほか、レール１５０と、必要に応じて設けられるブロック部材３００とを含んでいる。
【００３７】
レール１５０は、図６に示すように、上述したスライドアシスト装置Ｘが取り付けられた戸板Ａの上方の戸枠あるいは下方の戸枠に取り付けられる断面形状が略「Ｃ」字状の長尺部材であり、その内側に、ローラーユニットＹやスライドアシスト装置Ｘおよび可動具１２が移動する移動空間１５２を有している。また、レール１５０の底面（戸枠に接する面）には、可動具１２の突出部材２２の先端部４２が係合する係止部１５８が形成されている。本実施形態ではレール１５０の底面に形成された貫通孔が係止部１５８に相当し、突出部材２２の先端部４２がこの貫通穴に嵌まることによって係合するようになっている。係止部１５８の態様はこれに限定されるものではなく、レール１５０の底面を貫通しない「穴」や、レール１５０の移動空間１５２に向けて突出し、可動具１２における突出部材２２の先端部４２と係合するような「突出部」であってもよい。
【００３８】
また、レール１５０には、トリガー部材１４を挿設可能な挿設溝１５４が必要に応じて形成される。トリガー部材１４をレール１５０に取り付ける際、当該挿設溝１５４にトリガー部材１４のトリガー本体部９０を挿入していくことにより、レール１５０に対するトリガー部材１４の取り付けが容易になるとともに、水平方向（図６における左右方向）の取り付けズレを防止することができる。
【００３９】
したがって、挿設溝１５４の内幅（ｗ１）は、トリガー本体部９０の幅（ｗ２：図５を参照）とほぼ同じに形成されている。また、挿設溝１５４の中央部にはスリット１５６が切り欠き形成されており、このスリット１５６を介して挿設溝１５４と移動空間１５２とが互いに連通されている。これにより、トリガー本体部９０を挿設溝１５４に挿設していったとき、トリガー部９２、リカバリー爪９４、および受入溝部９３は当該スリット１５６を通ることになる。
【００４０】
図１に戻り、ブロック部材３００は、必要に応じてレール１５０の内面に取り付けられ、トリガー部材１４をレール１５０に取り付けたときに、当該トリガー部材１４の先端が当接される部材である。ブロック部材３００は、トリガー部材１４よりも軟質の材料（例えば、ポリアセタール（ＰＯＭ）樹脂等の樹脂材料）で形成するのが好適であるが、必要な強度を担保できるものであれば、どのような材質でも用いることができる。
【００４１】
本実施形態のブロック部材３００は、図７に示すように、本体部３０２と、本体部３０２から突設された挿入部３０４と、ネジ孔３０６と、スライド部３０８とを備えている。なお、本実施形態のブロック部材３００では、本体部３０２、挿入部３０４、および、スライド部３０８が一体的に形成されているが、もちろん、各部材を別々に形成した後、つなぎ合わせてブロック部材３００を形成してもよい。
【００４２】
本体部３０２は、略直方体状の部材であり、その中央部にネジ孔３０６が形成されているとともに、互いに対向する一対の縁部にスライド部３０８が形成されている。また、本体部３０２の厚さ（ｔ１）は、レール１５０における挿設溝１５４の深さ（ｄ：図６を参照）よりも厚く形成されており、スライド部３０８の厚さ（ｔ２）は、当該挿設溝１５４の深さ（ｄ）とほぼ同じに形成されている。さらに、本体部３０２の幅（ｗ２）は、レール１５０におけるスリット１５６の幅（ｗ３：図６を参照）とほぼ同じに形成されている。これにより、レール１５０の開口端Ｋから挿設溝１５４に嵌め込んだブロック部材３００を、当該挿設溝１５４に沿って所望の固定位置までスライドさせることができる。
【００４３】
挿入部３０４は、本体部３０２における、スライド部３０８が形成された縁部とは異なる縁部から長さ方向に突設された部材であり、本実施形態では、先端にいくほど断面積が小さくなる略くさび状に形成されている。また、本実施形態において、挿入部３０４の底面（レール１５０に取り付けたとき、レール１５０の底面から最も離間した面）は、本体部３０２の底面と面一になっているとともに、挿入部３０４の天面（レール１５０に取り付けたとき、レール１５０の底面に最も近い面）は、本体部３０２やスライド部３０８の天面よりも底面側に位置するように形成されている（つまり、挿入部３０４は本体部３０２の厚さ（ｔ１）よりも薄く形成されている。）。もちろん、挿入部３０４の形状は他のものであってもよく、さらに言えば、挿入部３０４を設けることなく、トリガー部材１４の先端が本体部３０２に当接するだけであってもよい。
【００４４】
（可動具１２の操作方法）
次に、本実施形態に係る可動具１２の操作方法について簡単に説明する。図８は、可動具１２をレール１５０の移動空間１５２に挿入した自然状態（外部から操作等を行っていない状態）を示す断面図である。図８に示す状態で、突出部材２２（より正確には第１部材４４）の先端部４２は付勢手段２４によって図中における上方に押し上げられ、レール１５０に形成された係止部１５８に嵌挿されている。これにより、可動具１２はレール１５０に対して固定された状態になっている。なお、図８に示すように突出部材２２の先端部４２が係止部１５８を貫通するような態様の場合、レール１５０が固定される戸枠（図示せず）にも、係止部１５８に対応する位置に、突出部材２２の先端部４２が嵌まる必要な深さの穴を設けておく必要がある。
【００４５】
図８に示す状態から、付勢手段２４の付勢力に抗して突出部材２２（より正確には第２部材４６）の後端部４３を図中の下方に引くと、図９に示すように、突出部材２２の先端部４２が本体部材２０に没して係止部１５８との係合状態が解除される。これにより、レール１５０の移動空間１５２内で可動具１２をスライドさせることが可能となる。
【００４６】
（可動トリガー装置１０の取り付け方法）
再び図１を参照し、本発明が適用された可動トリガー装置１０を取り付ける方法について簡単に説明する。最初に、戸枠（図示せず）の内側天面等にレール１５０を固定する（挿設溝１５４が形成された内面が戸枠の内面に近接する向きでレール１５０を固定することは言うまでもない。）。
【００４７】
レール１５０を固定した後、当該レール１５０の開口端Ｋから挿設溝１５４にブロック部材３００を挿入し、当該ブロック部材３００を所望の位置までスライドさせる。このとき、ブロック部材３００の挿入部３０４がレール１５０の開口端Ｋを向くようにブロック部材３００をレール１５０に挿入する必要がある。然る後、ブロック部材３００のネジ孔３０６にネジ（図示せず）を挿入して、ブロック部材３００をレール１５０に固定する。もちろん、ネジ以外の方法でブロック部材３００をレール１５０に固定してもよい。
【００４８】
次に、トリガー部材１４を可動具１２に固定して共動する状態にした後、受入溝部９３が形成された先端からトリガー部材１４をレール１５０の挿設溝１５４に挿入していく。トリガー部材１４の受入溝部９３にブロック部材３００の挿入部３０４が嵌まり込むとともに、可動具１２の突出部材２２の先端部４２がレール１５０の係止部１５８に嵌まって係合した状態で、可動トリガー装置１０の取り付け作業が完了する。
【００４９】
（可動トリガー装置１０の特徴）
本発明が適用された可動トリガー装置１０によれば、突出部材２２の先端部４２がレール１５０の係止部１５８に嵌まることにより可動具１２を位置決めすることができる。これにより、可動具１２と共動するトリガー部材１４も位置決めすることが可能となる。一般的には、この位置を通常の状態として、例えば「引き残しＨ」ができるような位置で可動具１２（およびトリガー部材１４）を位置決めする（図１０（ａ）を参照）。そして、引っ越しや部屋の模様替えなどで大きな荷物を通したい場合には、付勢手段２４の付勢力に抗して先端部４２が本体部材に没する方向に突出部材２２を移動させてレール１５０の係止部１５８との係合状態を解除する。具体的には、突出部材２２の後端部４３を操作する（下方に引く）ことにより、当該突出部材２２の先端部４２とレール１５０の係止部１５８との係合状態を解除する。然る後、レール１５０の移動空間１５２で可動具１２（およびトリガー部材１４）を奥側（壁Ｊの突き当たりにより近い側）へ移動させることにより、複雑な操作をすることなく、戸板Ａをより奥まで収めて一時的に間口を広げることが可能となる（図１０（ｂ）を参照）。つまり、可動トリガー装置１０によれば、複雑な操作をすることなく、必要に応じて引戸Ｚにおける戸板Ａの移動量を変えることができる。
【００５０】
（変形例１）
上述の第１実施例では、可動具１２における突出部材２２の後端部４３を操作して当該突出部材２２の先端部４２とレール１５０の係止部１５８との係合状態を解除するようになっていたが、図１１に示すように、突出部材２２の先端部４２とレール１５０の係止部１５８とが互いに接する面の少なくとも一方を傾斜面とすることにより、可動具１２に所定以上の強さの外力が加わったときに突出部材２２の先端部４２が係止部１５８から脱するようにしてもよい。
【００５１】
具体的に説明すると、変形例１に係る突出部材２２の先端部４２は、係止部１５８に接するその端部面が傾斜面（アール面）に形成されている。また、変形例１において、先端部４２が係止部１５８に嵌まる深さは第１実施例に比べて浅く設定されている。これにより、突出部材２２の先端部４２が係止部１５８に係合している図１１の状態で、例えば、戸板Ａに強い力をかけてローラーユニットＹの本体部１０２で可動具１２の本体部材２０にスライド方向の強い力を作用させると、係止部１５８から突出部材２２の先端部４２における傾斜面に対して斜め下方の押圧力が付与される。この押圧力により、付勢手段２４からの付勢力に抗して突出部材２２の先端部４２が本体部材２０に没する方向に移動し、最終的に当該先端部４２が係止部１５８から脱して可動トリガー装置１０がレール１５０の移動空間１５２を自由にスライドできるようになる（図１２を参照）。
【００５２】
したがって、変形例１によれば、例えば「引き残しＨ」ができるような通常の位置から、戸板Ａを奥に強く押し込んで可動具１２に所定以上の強さの外力を加えることにより、戸板Ａをより奥まで収めて一時的に間口を広げることが可能となる。つまり、変形例１に係る可動トリガー装置１０によれば、より簡単な操作で、必要に応じて引戸Ｚにおける戸板Ａの移動量を変えることができる。
【００５３】
加えて、変形例１によれば、突出部材２２の後端部４３を可動具１２の本体部材２０から突出させて外部から操作できる（引くことができる）ようにする必要がなくなる。このため、第１実施例（図１１および図１２を参照）のように、レール１５０の移動空間１５２から戸板Ａの方向への出っ張りがない、シンプルな形状の可動具１２を提供できる。もちろん、変形例１における突出部材２２の後端部４３を図中下方に延ばして本体部材２０から突出させることにより、上述した作用に加えて、第１実施例のように外部から操作することもできるようになる。
【００５４】
ところで、上述のように「引き残しＨ」ができるような通常の位置から戸板Ａを奥に強く押し込んで可動トリガー装置１０がレール１５０の移動空間１５２を自由にスライドできるようにした状態（図１０（ｂ））において、戸板Ａに取り付けられたスライドアシスト装置Ｘのスライド部材２０８と、トリガー部材１４のトリガー部９２とは互いに係合した状態になっている。このため、変形例１によれば、戸板Ａとともに可動トリガー装置１０を奥に押し込んで一時的に間口を広げた後、間口を狭める方向（通常の位置に戻る方向）に再び戸板Ａを移動させると、トリガー部９２と係合したスライド部材２０８がトリガー部材１４およびこれと共動する可動具１２を通常の位置に引き戻すことになる。可動具１２が通常の位置に引き戻されたとき、付勢手段２４に付勢された突出部材２２の先端部４２が再びレール１５０の係止部１５８に嵌入することによって係合し、可動具１２が通常の位置に保持される。可動具１２が通常に位置に保持されると、以降はスライド部材２０８とトリガー部９２との係合状態が解けて、戸板Ａおよびスライドアシスト装置Ｘのみが間口を狭める方向に移動する。
【００５５】
このように変形例１によれば、「引き残しＨ」ができるような通常の位置から一時的に間口を広くさせ、さらに、再び通常に位置に戻す動作を戸板Ａのスライド方向に付与する力を加減するだけで行うことができるようになる。したがって、間口の拡大縮小操作が飛躍的に簡便になるとともに、施工完了後は可動具１２に手が届き難くなる「戸袋構造」を有するような引戸に対しても適用できるようになる。なお、ブロック部材３００を使用する場合は、未だ戸袋の構造が完成しておらず、完成後の戸袋の開口から奥まった位置に設けるブロック部材３００をレール１５０に固定する作業が容易に実施できる状態でブロック部材３００をレール１５０に固定する必要がある。
【００５６】
（変形例２）
可動具１２における突出部材２２の態様の変形例２として、図１３に示すように、先端部４２に球５４を使用してもよい。先端部４２に球体を使用した場合でも、レール１５０の係止部１５８と接する当該先端部４２の面が傾斜面（球面）であることから、可動具１２に所定以上の強さの外力が加わったときに突出部材２２の先端部４２が係止部１５８から脱するようにできる。
【００５７】
具体的に説明すると、変形例２に係る突出部材２２は、上述のように、円柱状の第１部材４４に変えて球５４が使用されている。つまり、突出部材２２の先端部４２は、係止部１５８に接する面が傾斜面（球面）になっている。なお、球５４が飛び出さないように、第１連通孔３０の内部形状はその外側端部が略球面状に形成されており、球５４の一部のみが第１連通孔３０から突出するように設定されている。
【００５８】
これにより、球５４が第２部材４６を介して付勢手段２４からの付勢力を受けてレール１５０の係止部１５８に係合している図１３の状態で、例えば、戸板Ａに強い力をかけてローラーユニットＹの本体部１０２で可動具１２の本体部材２０にスライド方向の強い力を作用させる。すると、係止部１５８から突出部材２２の球５４における先端部４２の球面を斜め下方に押圧する力が付与される。この押圧力により、付勢手段２４からの付勢力に抗して球５４が本体部材２０に没する方向に移動し、最終的に球５４が係止部１５８から脱して可動トリガー装置１０がレール１５０の移動空間１５２を自由にスライドできるようになる（図１４を参照）。
【００５９】
このように、変形例２の構造でも変形例１と同様の作用効果を奏することができるので、変形例２の作用効果についての説明は、上述した変形例１の作用効果の説明を援用する。
【００６０】
（変形例３）
上述した各実施例・変形例では、戸板Ａに取り付けられたローラーユニットＹの本体部１０２が可動具１２の本体部材２０に当接するようになっていたが、変形例３では、戸板Ａの端面に当接する戸板当接部材６０が追加されている。
【００６１】
変形例３に係る可動具１２は、基本的に第１実施例に係る可動具１２と同じであることから、相違する部分についてのみ図１５および図１６を用いて具体的に説明する。なお、上述した第１実施例に係る可動具１２と同じ部分については、図１５および図１６においても同じ参照番号を付している。
【００６２】
変形例３に係る可動具１２では、上述の通り、本体部材２０の下方（レール１５０の移動空間１５２に本体部材２０を嵌め込んだときに、当該レール１５０における戸枠とは反対方向の外側に突出する方向）に戸板当接部材６０が本体部材２０と一体的に形成されている。
【００６３】
戸板当接部材６０は、戸板Ａの端面が当接する当接面６２を有している。戸板Ａに取り付けられたローラーユニットＹの本体部１０２が本体部材２０に当接するよりも先に戸板Ａの端面がこの当接面６２に当接する必要があることから、当接面６２の位置は、ローラーユニットＹに向かう本体部材２０の端面の位置よりもより戸板Ａに近くなるように、レール１５０に対する可動具１２の挿入方向で最も前寄りに設定されている。
【００６４】
また、変形例３に係る可動具１２では、突出部材２２は分割されておらず一体に形成されている（もちろん、他の実施例・変形例のように複数の部材で突出部材２２を構成してもよい。）。さらに、突出部材２２の後端部４３には、当該突出部材２２の操作を行いやすいように太径のキャップ６４が取り付けられている。
【００６５】
変形例３に係る可動具１２を含む可動トリガー装置１０を引戸Ｚに適用した状態を図１７および図１８に示す。この可動トリガー装置１０の取り付け方法や作用効果については、第１実施例に係る可動具１２を含む可動トリガー装置１０と基本的に同じであり、戸板Ａの端面が戸板当接部材６０に当接する点が異なるだけであるから、これらの説明を省略する。
【００６６】
（その他の変形例）
上述の各実施例・変形例では、戸板Ａの上端側に取り付けられた可動トリガー装置１０について説明したが、スライドアシスト装置Ｘを戸板Ａの下端に取り付ける場合には、可動トリガー装置１０もまた下端側に取り付ける必要がある。
【００６７】
また、上述したように、本発明は可動トリガー装置１０であるから、スライドアシスト装置Ｘだけに限られず、可動トリガー装置１０を他の装置と組み合わせて使用することもできる。
【００６８】
さらに、上述した実施例・変形例では、トリガー部材１４を通常の位置に配置したときにおいて当該トリガー部材１４の先端に設けられた受入溝部９３に当接するブロック部材３００を備えているが、このブロック部材３００は本発明に必須の構成要素ではないので省略することができる。ブロック部材３００を省略する場合は、トリガー部材１４の先端に設けられた受入溝部９３も省略することになる。ただし、ブロック部材３００を設けると、変形例１および２で説明したように、戸板Ａとともに可動トリガー装置１０を奥に押し込んで一時的に開口を広げた後、開口を狭める方向（通常の位置に戻る方向）に再び戸板Ａを移動させるような場合、通常の位置に戻ったときに再びブロック部材３００とトリガー部材１４とが当接することになり、より正確にトリガー部材１４および可動具１２の再度の位置決めができる点で好適である。
【００６９】
今回開示された実施例・変形例はすべての点で例示であって制限的なものではないと考えられるべきである。本発明の範囲は、上述の説明ではなく、特許請求の範囲によって示され、特許請求の範囲と均等の意味および範囲内でのすべての変更が含まれることが意図される。
【符号の説明】
【００７０】
１０…可動トリガー装置、１２…可動具、１４…トリガー部材、２０…（可動具１２の）本体部材、２２…突出部材、２４…付勢手段、２６…本体部、２８…内部空間、３０…第１連通孔、３２…第２連通孔、３４…上側突設部、３６…段部、３８…高位部、４０…低位部、４２…（突出部材２２の）先端部、４３…（突出部材２２の）後端部、４４…第１部材、４６…第２部材、４７…挿設穴、４８…鍔部、５０…バネ受け溝、５２…ネジ挿通孔、５３…バネ受け部材、５４…球、６０…戸板当接部材、６２…当接面、６４…キャップ、９０…トリガー本体部、９２…トリガー部、９３…受入溝部、９４…リカバリー爪、９６…ネジ挿通孔、９７…壁部、９８…凹所、９９…底部、１００…引戸固定体、１０２…本体部、１０４…ローラー、１５０…レール、１５２…移動空間、１５４…挿設溝、１５６…スリット、１５８…係止部、２００…上枠体、２０２…下枠体、２０４…引きバネ、２０６…ダンパー部材、２０８…スライド部材、２１０…ガイドローラ、３００…ブロック部材、３０２…本体部、３０４…挿入部、３０６…ネジ孔、３０８…スライド部、Ｘ…スライドアシスト装置、Ｙ…ローラーユニット、Ｚ…引戸、Ａ…戸板、Ｈ…引き残し、Ｊ…壁
【図１】
0006527461.tif 000002
【図２】
0006527461.tif 000003
【図３】
0006527461.tif 000004
【図４】
0006527461.tif 000005
【図５】
0006527461.tif 000006
【図６】
0006527461.tif 000007
【図７】
0006527461.tif 000008
【図８】
0006527461.tif 000009
【図９】
0006527461.tif 000010
【図１０】
0006527461.tif 000011
【図１１】
0006527461.tif 000012
【図１２】
0006527461.tif 000013
【図１３】
0006527461.tif 000014
【図１４】
0006527461.tif 000015
【図１５】
0006527461.tif 000016
【図１６】
0006527461.tif 000017
【図１７】
0006527461.tif 000018
【図１８】
0006527461.tif 000019